(57)【特許請求の範囲】
【請求項１】
天板と該天板を支える脚を備えたデスクにおいて、前記天板の少なくとも一部を透明部材により形成し、前記天板の下側には、前記コンピュータ本体に電気的に接続される表示パネルを前記透明部材の下面に沿って移動可能且つ天板の下側と天板の周辺外部との間で移動可能に支持する表示パネル支持部材を設けたことを特徴とするデスク。
【請求項２】
前記表示パネル支持部材が前記天板の下側にパネル用軸支部を介して回転移動可能に設けられていることを特徴とする請求項１記載のデスク。
【請求項３】
前記表示パネル支持部材は、前記パネル用軸支部と前記表示パネルとの間に前記パネル用軸支部と平行な少なくとも１つの連結軸を有することを特徴とする請求項２記載のデスク。
【請求項４】
前記表示パネル支持部材は、前記パネル用軸支部と前記表示パネルとの間に水平な少なくとも１つの連結軸を有することを特徴とする請求項２又は３記載のデスク。
【請求項５】
前記表示パネル支持部材はその先端に前記表示パネルを固定するための取付部を有することを特徴とする請求項２から４までのいずれかに記載のデスク。
【請求項６】
前記天板の下側には、コンピュータ本体に電気的に接続されるキーボードを前記天板の下側と天板の前方外部との間で移動可能に支持するキーボード支持部材をキーボード用軸支部を介して回転移動可能に設けたことを特徴とする請求項１から５までのいずれかに記載のデスク。
【請求項７】
前記キーボード支持部材は、前記キーボード用軸支部と前記キーボードとの間に前記キーボード用軸支部と平行な少なくとも１つの連結軸を有することを特徴とする請求項６記載のデスク。
【請求項８】
前記キーボード支持部材は、前記キーボード用軸支部と前記キーボードとの間に水平な２つの連結軸を有することを特徴とする請求項６又は７記載のデスク。
【請求項９】
前記表示パネル支持部材及び前記キーボード支持部材がそれぞれ前記脚の前後上部に支持されていることを特徴とする請求項６から８までのいずれかに記載のデスク。
【請求項１０】
前記キーボード支持部材はその先端に前記キーボードを載せるためのキーボード台を有することを特徴とする請求項６から９までのいずれかに記載のデスク。
【発明の詳細な説明】
【０００１】
【発明の属する技術分野】
本発明は、執務に好適なデスクに関し、更に詳しくは、天板の下側にコンピュータ本体に接続される表示パネルを備えたデスクに関する。
【０００２】
【従来の技術】
執務用デスクの天板上にコンピュータのキーボードやＣＲＴ等の表示装置を置くと、コンピュータを使用しない時にもキーボードや表示装置が天板上のスペースを占有することとなり、執務の邪魔になる。
【０００３】
従来、天板の一部をくり抜いてガラス板をはめ込み、その下に取り付けた箱形の載置台にＣＲＴ等の表示装置を上向きに収容してなるデスクが知られている。この種のデスクにおいては、コンピュータ使用時に天板の上からガラス板を通して表示装置の画面を見ることができる。また、コンピュータを使用しないときはガラス板の上を執務作業スペースとして有効に利用することができる。
【０００４】
さらに、従来、天板の下面にレールを取り付け、このレールにコンピュータのキーボードを載せるキーボード台を前後にスライド可能に支持してなるデスクが知られている。この種のデスクにおいては、コンピュータ使用時にキーボード台を天板の前方に引き出してキーボードを操作することができ、且つ、コンピュータを使用しないときはキーボード台を天板の下に収容することができるので、デスクの天板上にキーボードを置くスペースを常時確保する必要がなくなる。
【０００５】
【発明が解決しようとする課題】
ＣＲＴ等の表示装置を収容する箱形の載置台をデスク天板の下面に固定して設けた場合、デスク天板の下側の下肢空間が狭くなり、執務等の快適性が損なわれる原因となる。また、表示装置の位置や表示方向が固定されるため、表示装置の画面を見ることのできる場所が狭い範囲に限定される。このため、コンピュータ使用者の操作位置や向きの自由度が大きく制限されるとともに、デスクを挟んで複数人が表示装置の画面を見ながらミーティングを行うことも困難となる。さらに、表示装置を載置台に載せたたまま表示装置の保守点検やケーブル接続等の作業を行おうとすると、天板の下側で作業をする必要があり、不便を強いられる。また、従来のキーボード台支持構造ではキーボード台が前後にスライドするだけであり、且つ、向きが一定であるため、、その操作位置及び向きの自由度が不足していた。
【０００６】
したがって、本発明の目的は、天板上のスペースを常時有効活用できるとともに、コンピュータの表示パネルの表示位置を広範囲に変更でき、しかも保守等の容易なデスクを提供することにある。
【０００７】
【課題を解決するための手段】
上記課題を解決するために、本発明は、天板と該天板を支える脚を備えたデスクにおいて、前記天板の少なくとも一部を透明部材により形成し、前記天板の下側には、前記コンピュータ本体に電気的に接続される表示パネルを前記透明部材の下面に沿って移動可能且つ天板の下側と天板の周辺外部との間で移動可能に支持する表示パネル支持部材を設けたことを特徴とする。
【０００８】
上記構成を有するデスクにおいては、表示パネルは表示パネル支持部材に支持されて天板の透明部材の下面に沿って移動可能且つ天板の下側と天板の周辺外部との間で移動可能とされているので、天板の上側には表示パネルの設置スペースを全く必要とせず、執務用として有効利用することができる。また、天板の一部が透明部材からなっているので、表示面を上に向けた表示パネルをこの透明部材の下側に位置させることにより、透明部材を通して表示パネルの画面を見ることができる。そして、表示パネルは天板の下側で広範囲に位置を変えることが可能且つ容易であるので、表示パネルン画面を見ることができる場所の範囲が拡大され、コンピュータを操作する執務者が見易い位置に表示パネルの位置を調整できるとともに、デスクを挟んで複数人が表示パネルを見ながらミーティングを行うことが容易に可能となる。さらに、表示パネル支持部材を介して表示パネルを天板の下側から天板の周辺外部へと移動させることができるので、表示パネルの輝度等の調整、保守点検、ケーブル接続等の作業を天板の周辺外部で楽に行うことができる。
【０００９】
上記構成のデスクにおいて、好ましくは、前記表示パネル支持部材が前記天板の下側にパネル用軸支部を介して回転移動可能に設けられる。係る構成によれば、表示パネルを支持する表示パネル支持部材がパネル用軸支部を介して天板の下側に回転移動可能に設けられているので、表示パネル支持部材を最小限のサイズに抑えつつ表示パネルの移動範囲全体にわたり表示パネルを効果的に支持することができる。
【００１０】
また、好ましくは、前記表示パネル支持部材は、前記パネル用軸支部と前記表示パネルとの間に前記パネル用軸支部と平行な少なくとも１つの連結軸を有する。係る構成によれば、表示パネルの移動位置と表示面の向きに関する自由度が広がり、例えば表示面の向きを一定に保ったまま表示パネルをパネル用軸支部に対し回転移動又は平行移動させることも可能となるので、表示パネルの使用時に表示パネルを見易い位置及び向きに設定することができるようになる。
【００１１】
さらに好ましくは、前記表示パネル支持部材は、前記パネル用軸支部と前記表示パネルとの間に水平な少なくとも１つの連結軸を有する。係る構成によれば、表示パネルの使用時に水平面に対する表示パネルの表示面の角度を最適角度に調整することができる。
【００１２】
さらに好ましくは、、前記表示パネル支持部材はその先端に前記表示パネルを固定するための取付部を有する。係る構成によれば、取付部により表示パネルを表示パネル支持部材の先端に固定することができるので、表示パネルの脱落による破損等を防止できる。
【００１３】
また、上記構成のデスクにおいて、好ましくは、前記天板の下側には、コンピュータ本体に電気的に接続されるキーボードを前記天板の下側と天板の前方外部との間で移動可能に支持するキーボード支持部材をキーボード用軸支部を介して回転移動可能に設けられる。
【００１４】
上記構成のデスクにおいては、キーボードを支持するキーボード支持部材がキーボード用軸支部を介して天板の下側に回転移動可能に設けられており、キーボードは天板の下側と天板の前方外部との間で移動可能とされているので、天板の上側にキーボードの設置スペースを全く必要とせず、執務用として有効利用することができる。また、キーボードは天板の下側から天板の前方外部へと移動させて使用することができ、使用しないときは天板の下側に戻しておくことができるので邪魔にならない。特に、キーボードを使用するためにキーボードを天板の下側から天板の前方外部に移動したときには天板の下側のキーボード配置スペースが解放されるので、表示パネルのための広い移動空間を確保できる。
【００１５】
上記構成において、好ましくは、前記キーボード支持部材は、前記キーボード用軸支部と前記キーボードとの間に前記キーボード用軸支部と平行な少なくとも１つの連結軸を有する。係る構成によれば、キーボードの移動位置と向きに関する自由度が広がり、例えばキーボードの向きを一定に保ったままキーボードをキーボード用軸支部に対し回転移動又は平行移動させることも可能となるので、キーボードの使用時にキーボードを操作し易い位置及び向きに設定することができるようになる。
【００１６】
さらに好ましくは、前記キーボード支持部材は、前記キーボード用軸支部と前記キーボードとの間に水平な２つの連結軸を有する。係る構成によれば、キーボード支持部材の先端に支持されるキーボードを上下に変位させることができるので、天板の下側から天板の前方外部に引き出したキーボードを最適な高さ位置に調整することができる。
【００１７】
さらに好ましくは、前記表示パネル支持部材及び前記キーボード支持部材がそれぞれ前記脚の前後上部に支持される。係る構成によれば、天板の下側に別途表示パネル支持部材及びキーボード支持部材を取り付ける必要がなく、既存の脚部を利用して表示パネル支持部材及びキーボード支持部材を支持させることができるので、必要部品数を最小限に抑えることができるとともに、天板の下側の下肢空間が狭まることを防止できる。
【００１８】
更に好ましくは、前記キーボード支持部材はその先端に前記キーボードを載せるためのキーボード台を有する。係る構成によれば、キーボードをキーボード台上に載せて使用できるとともに、必要時にはキーボード台から天板上に移して使用することも容易に可能であるので、デスクを挟んで複数人がコンピュータを操作しながらミーティングを行うような場合に、キーボードを複数人で容易に操作可能となる。
【００１９】
【発明の実施の形態】
以下、図面を参照して本発明の実施例を説明する。
【００２０】
【実施例】
図１から図５までは本発明を執務用デスクに適用した場合の一実施例を示したものである。これらの図を参照すると、デスクは天板２と該天板２を支える脚３を備えている。
【００２１】
天板２は少なくとも一部が透明部材からなる。ここでは、天板２は、例えば木材、金属、樹脂等の不透明部材からなる後板部分４と、例えば透明ガラス、透明プラスチック等の透明部材からなる前板部分５とからっており、前板部分４と前板部分５とは端部同士を突き合わせた状態で互いに結合されている。
【００２２】
脚３は４本の脚柱６を備えており、これら４本の脚柱６は、天板２の下側で左右に間隔を開けて２本ずつ配置され、且つ、左右においてそれぞれ前後に間隔を隔てて配置されている。そして図２に示すように、前側の脚柱６の上端部と後側の脚柱６の上端部とが天板の下面に沿って前後方向に延びる上側枠板７により互いに連結されている。図５に示すように、脚３は上側枠板７を天板３の後板部分４にねじ８で固定することができる。なお、脚３は左右の上側枠板７，７の例えば後端部間を連結する上後枠板（図示省略）を備えていてもよい。
【００２３】
天板２の下側には、コンピュータ本体（図示省略）に対しケーブル若しくは無線手段を介して電気的に接続されるキーボード１１を天板２の下側と天板２の前方外部との間で移動可能に支持するキーボード支持部材１２と、コンピュータ本体に対しケーブル若しくは無線手段を介して接続される表示パネル１３を天板２の下面に沿って移動可能且つ天板２の下側と天板２の周辺外部との間で移動可能に支持する表示パネル支持部材１４とがそれぞれキーボード用軸支部１５及びパネル用軸支部１６を介して回転移動可能に設けられている。表示パネル１３は例えば液晶表示パネルとすることができる。これらキーボード支持部材１２を支持するキーボード用軸支部１５及び表示パネル支持部材１４を支持するパネル用軸支部１６は、後述するように、軸部１５，１６は、脚３における片側（図３中右側）前後の脚柱６，６の上部にそれぞれ設けられている。
【００２４】
図２、図３及び図４に示すように、この実施例におけるキーボード支持部材１２は、第１アーム１７と、第２アーム１８と、取付部１９とキーボード台２０とを有しており、第１アーム１７はその基端に筒状の嵌合部１７ａを有し、この嵌合部１７ａは前側脚柱６上のキーボード用軸支部１５に対し好ましくは樹脂等からなる筒状のスリーブ２１を介して回転可能に嵌合しており、さらに嵌合部１７ａの上において上側枠板７の前端に設けられた上蓋部２２がキーボード用軸支部１５に嵌合しており、この上蓋部２２をキーボード用軸支部１５の上端に形成されたネジ穴１５ａにネジ２３で固定することにより、キーボード支持部材１２における第１アーム１７の嵌合部１７ａをキーボード用軸支部１５に回転可能に保持できるものとなっている。
【００２５】
また、キーボード支持部材１２の第２アーム１８は、その基端がキーボード用軸支部１５と平行な第１の連結軸２４により第１アーム１７の先端に対し回転移動可能に連結されており、取付部１９はキーボード台２０の底面にネジ止めされるとともに、第２アーム１８の先端に対し、キーボード用軸支部１５及び第１の連結軸２４と平行な第２の連結軸２５により回転移動可能に連結されている。
【００２６】
一方、図２、図３及び図５に示すように、この実施例における表示パネル支持部材１４は、第１アーム２６と、第２アーム２８と、取付部２８を有しており、第１アーム２６はその基端に筒状の嵌合部２６ａを有し、この嵌合部２６ａは後側脚柱６上のパネル用軸支部１６に対し好ましくは樹脂等からなる筒状のスリーブ２９を介して回転可能に嵌合しており、さらに嵌合部２６ａの上において上側枠板７の後端に設けられた上蓋部３０がパネル用軸支部１６に嵌合しており、この上蓋部３０をパネル用軸支部１６の上端に形成されたネジ穴１６ａにネジ３１で固定することにより、表示パネル支持部材１４における第１アーム２６の嵌合部２６ａをパネル用軸支部１６に回転可能に保持できるものとなっている。
【００２７】
また、表示パネル支持部材１４の第２アーム２７は、その基端が水平な第１の連結軸３２により第１アーム２６の先端に対し回転移動可能に連結されており、取付部２８は表示パネル１３の背面にネジ止めされるとともに、第２アーム２７に対し、第１の連結軸３２と直交する第２の連結軸３３（図５参照）により回転移動可能に連結されている。
【００２８】
上記構成を有するデスクにおいては、キーボード１１を支持するキーボード支持部材１２と表示パネル１３を支持する表示パネル支持部材１４とがそれぞれキーボード用軸支部１５及びパネル用軸支部１６を介して天板２の下側に回転移動可能に設けられており、キーボード１１は天板２の下側と天板２の前方外部との間で移動可能とされ、表示パネル１４は天板２の下面に沿って移動可能且つ天板２の下側と天板２の周辺外部との間で移動可能とされているので、天板２の上側にはこれらキーボード１１及び表示パネル１３の設置スペースを全く必要とせず、執務用として有効利用することができる。
【００２９】
また、キーボード１１は天板２の下側から天板２の前方外部へと移動させて使用することができ、使用しないときは天板２の下側に戻しておくことができるので邪魔にならない。また、天板２の前板部分５が透明部材からなっているので、表示面を上に向けた表示パネル１３をこの透明な前板部分５の下側に位置させることにより、前板部分５を通して表示パネル１３の画面を見ることができる。そして、表示パネル１３は天板２の下側で位置を変えることが可能且つ容易であるので、コンピュータのキーボード１１を操作する執務者が見易い位置に表示パネル１３の位置を調整できるとともに、デスクを挟んで複数人が表示パネル１３を見ながらミーティングを行うことが容易に可能となる。特に、キーボード１１を使用するためにキーボード１１を天板２の下側から天板２の前方外部に移動したときには、天板２の下側のキーボード配置スペースが解放されるので、表示パネル１３のための広い移動空間を確保できる。また、キーボード支持部材１２も表示パネル支持部材１４も天板２の下側の下肢空間を圧迫することがないので、デスクを常時快適に使用することができる。
【００３０】
さらに、表示パネル支持部材１４を介して表示パネル１３を天板２の下側から天板２の周辺外部へと移動させることができるので、表示パネル１３の輝度等の調整、保守点検、ケーブル接続等の作業を天板２の周辺外部で楽に行うことができる。
【００３１】
したがって、天板２上のスペースを常時有効活用できるとともに、コンピュータのキーボード１１及び表示パネル１３を容易に使用できるデスクを提供することができる。
【００３２】
また、上記実施例においては、天板２の後板部分４が不透明部材からなるので、コンピュータ本体等に接続されるケーブル等の配線が天板の上から見えないように隠すことができる。
【００３３】
また、上記実施例においては、キーボード支持部材１２が、キーボード用軸支部１５とキーボード１１との間に、キーボード用軸支部１５と平行な少なくとも１つの連結軸２５を有し、更に好ましくはキーボード用軸支部１５と平行な２つの連結軸２４、２５を有するので、キーボード１１の移動位置と向きに関する自由度が広がり、例えばキーボード１１の向きを一定に保ったままキーボード１１をキーボード用軸支部１５に対し回転移動又は平行移動させることも可能となるので、キーボード１１の使用時にキーボード１１を操作し易い位置及び向きに設定することができるようになる。
【００３４】
また、上記実施例の構成においては、表示パネル支持部材１４が、パネル用軸支部１６と表示パネル１３との間に水平な少なくとも１つの連結軸３２を有するので、表示パネル１３の使用時に水平面に対する表示パネル１３の表示面の角度を最適角度に調整することができる。
【００３５】
また、上記実施例の構成においては、キーボード用軸支部１５及びパネル用軸支部１６が脚３の前後上部にそれぞれ設けられているので、天板２の下側に別途軸支部を設ける必要がなく、既存の脚３を利用してこれらキーボード用軸支部１５及びパネル用軸支部１６を形成することができる。したがって、必要部品数を最小限に抑えることができる。また、キーボード用軸支部１５及びパネル用軸支部１６が脚３における前後の脚柱６、６の上部にそれぞれ設けられているので、天板２の下側の下肢空間が軸支部により狭まることを防止できる。
【００３６】
また、キーボード支持部材１２はその先端にキーボード１１を載せるためのキーボード台２０を有するので、キーボード１１をキーボード台２０上に載せて使用できるとともに、必要時にはキーボード台２０から天板２上に移して使用することも容易に可能である。したがって、デスクを挟んで複数人がコンピュータを操作しながらミーティングを行うような場合に、キーボード１１を複数人で容易に操作可能となる。
【００３７】
また、表示パネル支持部材１４はその先端に表示パネル１３を固定するための取付部２８を有するので、取付部２８により表示パネル１３を表示パネル支持部材１４の先端に固定することができ、表示パネル１３の脱落による破損等を防止できる。
【００３８】
図６は本発明の他の実施例を示したものである。この実施例においては、脚３における片側（例えば右側）の前後脚柱６、６に対しコンピュータ本体４０を収容するケース４１を設けたことを特徴とし、他の構成は上記実施例と同様である。
【００３９】
この図６に示す構成によれば、コンピュータ本体４０とこのコンピュータ本体４０に対し電気的に接続されるキーボード１１や表示パネル１３をディスクに支持させることができるので、デスクの移動等を容易に行うことができる。
【００４０】
図７は本発明のさらに他の実施例を示したものである。この実施例においては、キーボード支持部材１２は、第１アーム１７と第２アーム１８との間に第３アーム３５を有し、この第３アーム３５の両端が第１アーム１７及び第２アーム１８に対しそれぞれ水平な２つの連結軸３６、３７を介して連結されている。すなわち、キーボード用軸支部１５とキーボード１１との間に水平な２つの連結軸３６，３７を有している。他の構成は図１〜図５に示す実施例と同様である。
【００４１】
この図７に示す実施例の構成によれば、キーボード支持部材１２の先端に支持されるキーボード１１を上下に変位させることができるので、天板２の下側から天板２の前方外部に引き出したキーボード１１を最適な高さ位置に調整することができる。したがって、キーボード１１の使い勝手が一層向上する。
【００４２】
図８（ａ）、（ｂ）は本発明のさらに他の実施例を示すものである。同図を参照すると、この実施例においては、表示パネル支持部材１４が３つのアーム部材２６ｂ、２６ｃ、２６ｄに分割されており、隣接する２つのアーム部材２６ｂ、２６ｃ及び２６ｂ、２６ｃがそれぞれパネル用軸支部１６と平行な２つの連結軸３８，３９により互いに連結されている。すなわち、パネル用軸支部１６と表示パネル１３との間にパネル用軸支部１６と平行な２つの連結軸３８，３９を有している。他の構成は図１〜図５に示す実施例と同様である。なお、パネル用軸支部１６と表示パネル１３との間にパネル用軸支部１６と平行な１つの連結軸を有するように、第１アー２６を２つのアーム部材に分割してもよい。
【００４３】
図８に示す実施例の構成によれば、表示パネル１３の移動位置と表示面の向きに関する自由度が広がり、例えば表示面の向きを一定に保ったまま表示パネル１３をパネル用軸支部１６に対し回転移動又は平行移動させることも可能となるので、表示パネル１３の使用時に表示パネル１３を見易い位置及び向きに設定することができるようになる。
【００４４】
以上、図示実施例につき説明したが、本発明は上記実施例の態様のみに限定されるものではなく、特許請求の範囲の記載した発明の範囲内において各構成要素に種々の変更を加えることができる。例えば、キーボード用軸支部とパネル用軸支部とを同軸且つ上下一体に形成してもよい。また、キーボード支持部材１２を回転移動可能に支持するキーボード用軸支部１５及び表示パネル支持部材１４を回転移動可能に支持するパネル用軸支部１６は前後の脚柱上端を連結する上側枠板若しくは天板の下面に直接設けてもよい。さらに、キーボード支持部材及び表示パネル支持部材の連結軸数（関節数）は必要に応じて任意に選定できる。さらにまた、キーボード支持部材又は表示パネル支持部材はキーボード又は表示パネルを平行移動させるようにそれぞれ４節平行リンクの形態をなしていてもよく、或いは、屈曲可能且つ負荷荷重に抗して屈曲後の形状を保持し得るフレキシブルパイプで構成してもよい。また、表示パネル支持部材は表示パネルを天板下面に沿って案内するように天板の下面に固定して設けられていてもよい。さらに、天板は全体を透明部材により形成してもよく、或いは、透明部材の一部をくり抜いて上下に開口しその開口部分に透明部材を嵌め込むことにより、天板の一部を透明部材により形成してもよい。さらに、天板を支える脚の形状及び天板への取り付け構造は必要に応じて任意に変更することができる。
【００４５】
【発明の効果】
以上の説明から明らかなように、本発明によれば、天板上のスペースを常時有効活用できるとともに、コンピュータの表示パネルの表示位置及び方向を広範囲に変更でき、しかも保守等の容易なデスクを提供することができる。また、本発明によれば、天板上のスペースを有効活用しつつ、コンピュータのキーボード操作位置及び方向を広範囲に変更できるデスクを提供することができる。
【図面の簡単な説明】
【図１】本発明の一実施例に係るデスクの使用例を示す斜視図である。
【図２】図１に示すデスクの一部破断要部右側面図である。
【図３】図１に示すデスクの要部平面図である。
【図４】図１に示すデスクのキーボード支持部材取付構造を示す要部分解斜視図である。
【図５】図１に示すデスクの表示パネル支持部材取付構造を示す要部分解斜視図である。
【図６】図１に示すデスクに変更を加えた本発明の他の実施例を示す要部斜視図である。
【図７】図１のキーボード支持部材取付構造に変更を加えた本発明の他の実施例を示すデスクの要部概略側面図である。
【図８】（ａ）、（ｂ）はそれぞれ図１の表示パネル支持部材取付構造に変更を加えた本発明の他の実施例を示すデスクの要部概略側面図及び要部概略平面図である。
【符号の説明】
２    天板
３    脚
４    後板部分
５    前板部分
６    脚柱
７    上側枠板
１１    キーボード
１２    キーボード支持部材
１３    表示パネル
１４    表示パネル支持部材
１５    キーボード用軸支部
１６    パネル用軸支部
２４、２５、３２、３３、３６、３７、３８、３９    連結軸
【図１】
0003560324.tif 000002
【図２】
0003560324.tif 000003
【図３】
0003560324.tif 000004
【図４】
0003560324.tif 000005
【図５】
0003560324.tif 000006
【図６】
0003560324.tif 000007
【図７】
0003560324.tif 000008
【図８】
0003560324.tif 000009